(57)【要約】【課題】警察手帳を首より吊り下げて携帯するに際して使用上極めて好適な警察手帳首吊下げ具の提供。【解決手段】長紐１の一端に、警察手帳体の一方端に設けた紐挿通孔に挿通できる輪状部４を設けると共に長紐１の他端に、警察手帳体の他方端に設けた係止孔に着脱できる係止具６を備えて形成した紛失防止用紐体７と、紛失防止用紐体の輪状部及び長紐が挿通できる柔軟な長楕円筒状布体９で該長楕円筒状布体は両端部１０，１０より輪状部と係止具とに連設した長紐の一部が露出できる寸法に形成した長楕円筒状布体と、長楕円筒状布体の両端部と長楕円筒状布体の両端部より露出した長紐とを挟着できるように形成した着脱自在の挟着具１１，１１より成り、且つ挟着具で長楕円筒状布体の両端部より露出した長紐と長楕円筒状布体の両端部とに亘り挟着したことを特徴としている。【選択図】図８
0003131829.tif 000002
【実用新案登録請求の範囲】
【請求項１】
強靭な長紐１の一端に、警察手帳体２の一方端に設けた紐挿通孔３に挿通できる輪状部４を設けると共に前記長紐１の他端に、前記警察手帳体２の他方端に設けた係止孔５に着脱できる係止具６を備えて形成した紛失防止用紐体７と、前記紛失防止用紐体７の輪状部４及び長紐１が挿通できる楕円筒状孔８を有した柔軟な長楕円筒状布体９で該長楕円筒状布体９は両端部１０，１０より輪状部４と係止具６とに連設した長紐１の一部が露出できる寸法に形成した長楕円筒状布体９と、長楕円筒状布体９の両端部１０，１０と前記長楕円筒状布体９の両端部１０，１０より露出した長紐１，１とを挟着できるように形成した着脱自在の挟着具１１，１１より成り、且つ挟着具１１，１１で長楕円筒状布体９の両端部１０，１０より露出した長紐１，１と長楕円筒状布体９の両端部１０，１０とに亘り挟着したことを特徴とする警察手帳首吊下げ具。
【考案の詳細な説明】
【技術分野】
【０００１】
この考案は、警察手帳を首より吊り下げて携帯するに際して使用上極めて好適な警察手帳首吊下げ具に関するものである。
【背景技術】
【０００２】
従来、警察官が制服を着用した場合又は私服の刑事の場合等職務の執行時には警察官の身分を明らかにするために警察手帳を携帯することが義務付けられており、更に紛失を防止するために鞄やバッグに入れたりして携帯することは禁止されていて紛失防止用紐体７を介して警察手帳を図１に図示したように首より吊り下げて携帯するか、又は着ている衣服に紛失防止用紐体７（図２参照）を介して常時繋いでおかなければならないものであり、警察官が制服を脱いだ場合又は職務時間外は勤務している警察本部や所轄署に返却することに成っているものである。
【０００３】
ところで、長時間に亘り警察手帳を図１に図示したように首より吊り下げて携帯することは紛失防止用紐体７（図２参照）を形成した強靭な長紐１が長時間に亘る使用中に首に食込んで首が痛くなる苦痛が度々発生することがあるものである。
【非特許文献１】本件図面に記載の図１参照
【非特許文献２】本件図面に記載の図２参照
【考案の開示】
【考案が解決しようとする課題】
【０００４】
この考案は上記の問題点を解決したもので、警察官が制服を着用した場合又は私服の刑事の場合等職務の執行時には警察官の身分を明らかにするために警察手帳を携帯することが義務付けられてことで、紛失防止用紐体７を介して警察手帳を首より吊り下げて携帯する際に紛失防止用紐体７を形成した強靭な長紐１が長時間に亘る使用中に首に食込んで首が痛くなる苦痛が度々発生することを簡単な改良で阻止して使用上極めて好適な警察手帳首吊下げ具を得ることを目的としたものである。
【課題を解決するための手段】
【０００５】
上記の目的を達成するためこの考案は、強靭な長紐１の一端に、警察手帳体２の一方端に設けた紐挿通孔３に挿通できる輪状部４を設けると共に前記長紐１の他端に、前記警察手帳体２の他方端に設けた係止孔５に着脱できる係止具６を備えて形成した紛失防止用紐体７と、前記紛失防止用紐体７の輪状部４及び長紐１が挿通できる楕円筒状孔８を有した柔軟な長楕円筒状布体９で該長楕円筒状布体９は両端部１０，１０より輪状部４と係止具６とに連設した長紐１の一部が露出できる寸法に形成した長楕円筒状布体９と、長楕円筒状布体９の両端部１０，１０と前記長楕円筒状布体９の両端部１０，１０より露出した長紐１，１とを挟着できるように形成した着脱自在の挟着具１１，１１より成り、且つ挟着具１１，１１で長楕円筒状布体９の両端部１０，１０より露出した長紐１，１と長楕円筒状布体９の両端部１０，１０とに亘り挟着したものである。
【考案の効果】
【０００６】
この考案は以上のような構成であり、強靭な長紐１の一端に、警察手帳体２の一方端に設けた紐挿通孔３に挿通できる輪状部４を設けると共に前記長紐１の他端に、前記警察手帳体２の他方端に設けた係止孔５に着脱できる係止具６を備えて形成した紛失防止用紐体７と、前記紛失防止用紐体７の輪状部４及び長紐１が挿通できる楕円筒状孔８を有した柔軟な長楕円筒状布体９で該長楕円筒状布体９は両端部１０，１０より輪状部４と係止具６とに連設した長紐１の一部が露出できる寸法に形成した長楕円筒状布体９と、長楕円筒状布体９の両端部１０，１０と前記長楕円筒状布体９の両端部１０，１０より露出した長紐１，１とを挟着できるように形成した着脱自在の挟着具１１，１１より成り、且つ挟着具１１，１１で長楕円筒状布体９の両端部１０，１０より露出した長紐１，１と長楕円筒状布体９の両端部１０，１０とに亘り挟着して図８に図示した警察手帳首吊下げ具１２を構成したものであるが、この警察手帳首吊下げ具１２を用いて警察手帳体２を首より吊り下げて警察手帳体２が紛失しないように携帯することができるものである。
【０００７】
又この考案の警察手帳首吊下げ具１２を警察手帳体２を取付けるには警察手帳体２の一方端に設けた紐挿通孔３に輪状部４に挿通すると共に挿通した輪状部４に警察手帳首吊下げ具１２に備えた係止具６を挿通することによって紐挿通孔３に輪状部４が絡まって係止され警察手帳体２に警察手帳首吊下げ具１２を確実に取付けることができるものであり、更に警察手帳首吊下げ具１２に備えた係止具６によって警察手帳体２の他方端に設けた係止孔５に係止して警察手帳体２の首からの吊下げを簡単確実に行うことができるものである。
【０００８】
又この考案の警察手帳首吊下げ具１２は長紐１が長楕円筒状布体９で被覆されているので首より吊下げて携帯する際に長紐１が直接首に触れて首に食込んで首が痛くなる苦痛が発生することを阻止して首からの吊下げを楽に行うことができるものである。
【０００９】
又長楕円筒状布体９は両端部１０，１０より輪状部４と係止具６とに連設した長紐１の一部が露出できる寸法に形成した長楕円筒状布体９と、長楕円筒状布体９の両端部１０，１０と前記長楕円筒状布体９の両端部１０，１０より露出した長紐１，１とを挟着できるように形成した着脱自在の挟着具１１，１１より成り、且つ挟着具１１，１１で長楕円筒状布体９の両端部１０，１０より露出した長紐１，１と長楕円筒状布体９の両端部１０，１０とに亘り挟着したことによって長楕円筒状布体９が長紐１に確実に取付けられて妄りに片方に寄り重なって長紐１が長く露出した状態で現れることなく安定よく取付けられるものである。
【００１０】
又長楕円筒状布体９の両端部１０，１０と長楕円筒状布体９の両端部１０，１０より露出した長紐１，１とを挟着できる挟着具１１は着脱自在に形成したことによって長楕円筒状布体９が長期の使用に際して擦り切れ等損傷した場合は挟着具１１，１１を外して新しい長楕円筒状布体９と取替えることができるので常に好適な状態で用いることができるものである。
【００１１】
以上のようにこの考案は警察官が制服を着用した場合又は私服の刑事の場合等職務の執行時には警察官の身分を明らかにするために警察手帳を携帯することが義務付けられてことで、紛失防止用紐体７を介して警察手帳を首より吊り下げて携帯する際に紛失防止用紐体７を形成した強靭な長紐１が長時間に亘る使用中に首に食込んで首が痛くなる苦痛が度々発生することを簡単な改良で阻止して使用上極めて好適な警察手帳首吊下げ具を得ることができるようにした優れた効果を奏するものである。
【考案を実施するための最良の形態】
【００１２】
以下、この考案の実施の形態を図１〜図９に基いて説明する。
【実施例１】
【００１３】
この考案は、強靭な長紐１の一端に、警察手帳体２の一方端に設けた紐挿通孔３に挿通できる輪状部４を設けると共に前記長紐１の他端に、前記警察手帳体２の他方端に設けた係止孔５に着脱できる一般に「なすかん」とも言われている係止具６を備えて形成した紛失防止用紐体７と、前記紛失防止用紐体７の輪状部４及び長紐１が挿通できる楕円筒状孔８を有した柔軟な長楕円筒状布体９で該長楕円筒状布体９は両端部１０，１０より輪状部４と係止具６とに連設した長紐１の一部が露出できる寸法に形成した長楕円筒状布体９と、長楕円筒状布体９の両端部１０，１０と前記長楕円筒状布体９の両端部１０，１０より露出した長紐１，１を挟着できるように形成した着脱自在の挟着具１１，１１より成り、且つ挟着具１１，１１で長楕円筒状布体９の両端部１０，１０より露出した長紐１，１と長楕円筒状布体９の両端部１０，１０とに亘り挟着して図８に図示した警察手帳首吊下げ具１２を構成したものであるが、この警察手帳首吊下げ具１２を用いて警察手帳体２を首より吊り下げて警察手帳体２が紛失しないように携帯することができるものである。
【００１４】
又、図４〜図９図示したように挟着具１１は合成樹脂素材で形成し中央折部１３を介して数個の下針状部１６を突出した硬質合成樹脂下板１４と数個の上針状部１７を突出した硬質合成樹脂上板１５とを連接し、且つ硬質合成樹脂下板１４の左端の左端屈曲部１８には硬質合成樹脂上板１５の右端の右端屈曲部１９に設けた係止舌片２０が係止する係止孔２１を設けたので長楕円筒状布体９の両端部１０，１０より露出した長紐１，１と長楕円筒状布体９の両端部１０，１０とに亘り挟着するに際しては下針状部１６と上針状部１７とが長楕円筒状布体９の両端部１０，１０より露出した長紐１，１と長楕円筒状布体９の両端部１０，１０とに亘り食込んで長楕円筒状布体９の両端部１０，１０より露出した長紐１，１と長楕円筒状布体９の両端部１０，１０との挟着を強固に行ない長紐１に対する長楕円筒状布体９の取付けが安定よく行われるものである。
【００１５】
又、挟着具１１は不使用時は数個の下針状部１６を突出した硬質合成樹脂下板１４と数個の上針状部１７を突出した硬質合成樹脂上板１５とを図５または図９に図示したように重ねることで係止孔２１に係止舌片２０が係止されるものであるが硬質合成樹脂下板１４と硬質合成樹脂上板１５との間に形成されている間隙部２３にマイナスドライバー等の先端偏平部を挿入してこじることによって係止孔２１と係止舌片２０との係止が解かれるものである。
【図面の簡単な説明】
【００１６】
【図１】従来の警察手帳の携帯時の状態を示した一部切欠の正面図である。
【図２】紛失防止用紐体の一部切欠の正面図である。
【図３】警察手帳に紛失防止用紐体を取付ける状態を示した一部切欠の斜視図である。
【図４】長楕円筒状布体の一部切欠の斜視図である。
【図５】係止具の斜視図である。
【図６】係止具の展開した平面図である。
【図７】図６に於けるＡ−Ａ断面図である。
【図８】この考案に於ける警察手帳首吊下げ具の一部切欠の正面図である。
【図９】図８に於ける拡大Ｂ−Ｂ断面図である。
【符号の説明】
【００１７】
１  長紐
２  警察手帳体
３  紐挿通孔
４  輪状部
５  係止孔
６  係止具
７  紛失防止用紐体
８  楕円筒状孔
９  長楕円筒状布体
１０  両端部
１１  挟着具
１２  警察手帳首吊下げ具
１３  中央折部
１４  硬質合成樹脂下板
１５  硬質合成樹脂上板
１６  下針状部
１７  上針状部
１８  左端屈曲部
１９  右端屈曲部
２０  係止舌片
２１  係止孔
２２  紐締付部
２３  間隙部
【図１】
0003131829.tif 000003
【図２】
0003131829.tif 000004
【図３】
0003131829.tif 000005
【図４】
0003131829.tif 000006
【図５】
0003131829.tif 000007
【図６】
0003131829.tif 000008
【図７】
0003131829.tif 000009
【図８】
0003131829.tif 000010
【図９】
0003131829.tif 000011